【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
遠隔デバイスにより受信およびチューニングされた、周波数変調（ＦＭ）信号に基づくラジオ周波数信号（ＲＦ信号）、中間周波数信号（ＩＦ信号）およびベースバンド信号（ＢＢ信号）のうちの１つを受信する第１の無線送受信機と、前記ＲＦ信号、前記ＩＦ信号および前記ＢＢ信号のうちの１つは、前記遠隔デバイスから携帯電話機に送信されたものであり、
前記ＲＦ信号、前記ＩＦ信号および前記ＢＢ信号のうちの前記１つを受信し、前記ＲＦ信号および前記ＩＦ信号のうちの１つからダウンコンバートされたＢＢ信号、および、前記遠隔デバイスから受信した前記ＢＢ信号のうちの１つに基づいて、処理済ＦＭ信号を生成するＦＭ処理モジュールと、を備える、携帯電話機。
【請求項２】
携帯電話機信号処理をする携帯電話機処理モジュールをさらに含み、
前記第１の無線送受信機および前記ＦＭ処理モジュールのうち少なくともいずれかは、集積回路内に前記携帯電話機処理モジュールとともに集積される、請求項１に記載の携帯電話機。
【請求項３】
前記第１の無線送受信機は、前記処理済ＦＭ信号を前記遠隔デバイスへ送信する、請求項１に記載の携帯電話機。
【請求項４】
ＦＭ放送局選択データを生成するユーザインタフェースをさらに含み、
前記第１の無線送受信機は、前記ＦＭ放送局選択データを前記遠隔デバイスへ送信する、請求項１に記載の携帯電話機。
【請求項５】
請求項１に記載の携帯電話機を備えるシステムであって、前記遠隔デバイスを含み、前記遠隔デバイスはさらに、
アンテナと、
前記アンテナと通信し、ＲＦ周波数をチューニングするチューナとをさらに含み、
前記遠隔デバイスは、前記処理済ＦＭ信号に基づき音声信号を生成する、システム。
【請求項６】
前記遠隔デバイスは、
ＲＦ信号を前記ＲＦ周波数で増幅する増幅器と、
前記ＲＦ信号を混合して前記ＩＦ信号を生成する混合器と、
前記ＩＦ信号を前記携帯電話機に送信する第２の無線送受信機と、
ＦＭ放送局を選択すべく前記チューナと通信するユーザインタフェースとをさらに含む、請求項５に記載のシステム。
【請求項７】
前記ＦＭ処理モジュールは、
前記ＲＦ信号をＩＦ信号に変換する中間周波数（ＩＦ）混合器と、
前記ＩＦ信号をＢＢ信号に変換するＢＢ混合器と、を含む、請求項１に記載の携帯電話機。
【請求項８】
前記遠隔デバイスは、
前記ＲＦ信号を混合してＩＦ信号を生成する中間周波数（ＩＦ）混合器と、
前記ＩＦ信号を混合してＢＢ信号を生成するＢＢ混合器と、
前記ＩＦ信号の混合された前記ＢＢ信号を前記携帯電話機に送信する第２の無線送受信機とをさらに含む、請求項６に記載のシステム。
【請求項９】
請求項１に記載の携帯電話機を備えるシステムであって、前記遠隔デバイスを含み、前記遠隔デバイスは、
アンテナと通信し、ＦＭ周波数をチューニングする周波数変調チューナ（ＦＭチューナ）と、
前記ＦＭ周波数で受信されたＦＭ信号に基づいて、前記携帯電話機に無線信号を送信する無線送受信機と、を備えるシステム。
【請求項１０】
請求項９に記載のシステムに含まれる前記遠隔デバイスであって、
前記無線送受信機は、前記携帯電話機からＦＭチューニングデータを受信し、前記ＦＭチューニングデータに基づいて前記ＦＭチューナを調節する、遠隔デバイス。
【請求項１１】
請求項９に記載のシステムに含まれる前記遠隔デバイスであって、
前記ＦＭチューナと通信し、前記ＦＭ信号を、前記ＦＭ周波数で受信する第１のアンテナと、
前記無線送受信機と通信し、前記無線信号を送信する第２のアンテナと、をさらに備える、遠隔デバイス。
【請求項１２】
請求項９に記載のシステムに含まれる前記遠隔デバイスであって、
前記遠隔デバイスは、
前記ＦＭ周波数に対応する、チューニングされたＲＦ周波数でＲＦ信号を増幅する増幅器と、
前記ＲＦ周波数でチューニングされた前記ＲＦ信号を混合して、前記ＩＦ信号を生成する混合器と、をさらに含み、
前記無線送受信機は、前記ＩＦ信号を前記携帯電話機に送信し、前記携帯電話機から前記処理済ＦＭ信号を受信し、
前記遠隔デバイスは、
前記処理済ＦＭ信号に基づいて増幅音声信号を生成する増幅器もさらに含む、遠隔デバイス。
【請求項１３】
請求項９に記載のシステムに含まれる前記遠隔デバイスであって、
前記遠隔デバイスは、
前記ＦＭ周波数でＲＦ信号を増幅する第１の増幅器と、
前記ＲＦ信号を混合して、ＩＦ信号を生成する中間周波数（ＩＦ）混合器と、
前記ＩＦ信号を混合して、ＢＢ信号を生成するＢＢ混合器と、をさらに含み、
前記無線送受信機は、前記ＩＦ信号の混合された前記ＢＢ信号を前記携帯電話機に送信し、前記携帯電話機から前記処理済ＦＭ信号を受信し、
前記遠隔デバイスは、
前記処理済ＦＭ信号に基づいて増幅音声信号を生成する第２の増幅器もさらに含む、遠隔デバイス。
【請求項１４】
請求項９に記載のシステムに含まれる前記遠隔デバイスであって、
前記遠隔デバイスは、
ＲＦ周波数をチューニングするチューナと、
前記チューニングされたＲＦ周波数で信号を増幅する第１の増幅器と、をさらに含み、
前記無線送受信機は、前記チューニングされたＲＦ周波数で前記ＲＦ信号を前記携帯電話機に送信し、前記携帯電話機から前記処理済ＦＭ信号を受信し、
前記遠隔デバイスは、
前記処理済ＦＭ信号に基づいて増幅音声信号を生成する第２の増幅器もさらに備える、遠隔デバイス。
【請求項１５】
請求項１２に記載の遠隔デバイスを備えるヘッドセットであって、前記増幅音声信号を出力する複数のスピーカと、
前記遠隔デバイスを前記複数のスピーカに接続する導体をさらに含み、前記アンテナは前記導体に隣接して延びる、ヘッドセット。
【請求項１６】
請求項１３または１４に記載の遠隔デバイスを備えるヘッドセットであって、
前記増幅音声信号を出力する複数のスピーカと複数のイヤホンとの少なくとも１つと、
前記遠隔デバイスを前記複数のスピーカと前記複数のイヤホンとの少なくとも１つに接続する導体とをさらに含み、前記アンテナは前記導体に隣接して延びる、ヘッドセット。
【請求項１７】
前記第１の無線送受信機は、前記ＩＦ信号を受信し、前記ＩＦ信号は、前記遠隔デバイスによって受信およびチューニングされた前記ＦＭ信号に基づいており、
前記遠隔デバイスによって受信およびチューニングされた前記ＦＭ信号は、前記遠隔デバイスによって、ＲＦ信号からＩＦ信号にダウンコンバートされ、前記携帯電話機に送信され、
前記ＦＭ処理モジュールは、前記ＩＦ信号をＢＢ信号に変換し、前記ＩＦ信号から変換された前記ＢＢ信号に基づいて、前記処理済ＦＭ信号を生成する、請求項１に記載の携帯電話機。
【請求項１８】
前記第１の無線送受信機は、前記ＲＦ信号を受信し、前記ＲＦ信号は、前記遠隔デバイスによって受信およびチューニングされた前記ＦＭ信号を含み、
前記遠隔デバイスによって受信およびチューニングされた前記ＦＭ信号は、ユーザ入力を介して、選択されたＦＭ周波数にチューニングされ、
前記ＦＭ処理モジュールは、前記選択されたＦＭ周波数で前記ＲＦ信号を受信し、前記ＲＦ信号をＢＢ信号に変換し、前記ＲＦ信号から変換された前記ＢＢ信号に基づいて前記処理済ＦＭ信号を生成し、
前記ＲＦ信号は、前記遠隔デバイスから送信され、前記携帯電話機によって前記ＲＦ信号から変換された前記ＢＢ信号に変換される、請求項１に記載の携帯電話機。
【請求項１９】
前記第１の無線送受信機は、前記遠隔デバイスから前記ＢＢ信号を受信し、前記遠隔デバイスから受信した前記ＢＢ信号は、前記遠隔デバイスによって受信およびチューニングされた前記ＦＭ信号に基づいたものであり、
前記遠隔デバイスによって受信およびチューニングされた前記ＦＭ信号は、前記遠隔デバイスによって、ＲＦ信号からＢＢ信号にダウンコンバートされて前記携帯電話機に送信され、
前記ＦＭ処理モジュールは、前記遠隔デバイスから受信した前記ＢＢ信号に基づいて前記処理済ＦＭ信号を生成する、請求項１に記載の携帯電話機。
【請求項２０】
前記携帯電話機は、ＦＭ放送局の周波数を選択し、前記選択された周波数を前記遠隔デバイスに送信し、
前記遠隔デバイスは、前記選択された周波数に基づいて前記ＩＦ信号を生成し、
前記携帯電話機は、前記処理済ＦＭ信号に基づいて音声出力信号を生成する、請求項１に記載の携帯電話機。